(57)【要約】【課題】寿命が長く高い信頼性を有する発光装置、及び、光源体の寿命を長くし、かつ、光源体の信頼性を高める制御方法を提供する。【解決手段】光源体と、前記光源体から出射される光の発光強度を制御する制御手段と、を備え、前記制御手段は、前記光源体の点灯時間の積算値に応じて前記発光強度を調節することを特徴とする発光装置を提供する。また、光源体を有する発光装置の制御方法であって、前記光源体の点灯時間の積算値に応じて、前記光源体から出射される光の発光強度を制御することを特徴とする発光装置の制御方法を提供する。【選択図】図１
2010061869.tif 000002
【特許請求の範囲】
【請求項１】
光源体と、
前記光源体から出射される光の発光強度を制御する制御手段と、
を備え、
前記制御手段は、前記光源体の点灯時間の積算値に応じて前記発光強度を調節することを特徴とする発光装置。
【請求項２】
前記制御手段は、前記点灯時間の積算値の増大とともに生ずる前記発光強度の低下が、前記光源体を一定電流で駆動した場合よりも小さくなるように、前記発光強度を低下させることを特徴とする請求項１記載の発光装置。
【請求項３】
前記制御手段は、
前記光源体から出射され前記発光装置の内部空間で合成された光を波長ごとに分解する機能と、前記波長ごとの前記発光強度を検知する機能と、を有する検知手段を有することを特徴とする請求項１または２に記載の発光装置。
【請求項４】
前記制御手段は、前記検知手段が動作する時間により前記積算値を算出することを特徴とする請求項３記載の発光装置。
【請求項５】
前記制御手段は、
前記検知手段が検知する前記波長ごとの前記発光強度の基準値を設定し、
前記検知手段により検知された前記波長ごとの前記発光強度と、前記基準値と、を比較して、前記発光強度を調節することを特徴とする請求項３または４に記載の発光装置。
【請求項６】
前記基準値は、前記積算値の関数により規定されることを特徴とする請求項５記載の発光装置。
【請求項７】
前記基準値は、前記積算値が増加するに伴い低下するように設定されることを特徴とする請求項６記載の発光装置。
【請求項８】
光源体を有する発光装置の制御方法であって、
前記光源体の点灯時間の積算値に応じて、前記光源体から出射される光の発光強度を制御することを特徴とする発光装置の制御方法。
【発明の詳細な説明】
【技術分野】
【０００１】
本発明は、光源体を備えた発光装置及びその制御方法に関する。
【背景技術】
【０００２】
液晶テレビやパソコンモニター等の液晶表示装置のバックライト光源においては、従来は冷陰極放電灯が利用されていたが、次第に、発光ダイオード（以下「ＬＥＤ」と称する）に代替される傾向にある。ＬＥＤは、小型軽量で、振動や衝撃にも強く、また水銀を利用する必要がないので環境調和性がよく、電流を流すと直ちに発光するので応答性が非常に高く、低電圧かつ低電流で発光するので発光効率性がよい等、冷陰極放電灯よりも多くの利点を備えている。
【０００３】
ＬＥＤを用いたバックライト光源は、携帯電話やモバイル機器等の小型用途がこれまで中心であったが、現在では、１０型以上のモニター等の中型用途や３０型以上の液晶テレビ等の大型用途にも採用される傾向にある。特に、大型液晶表示テレビ等の用途において、液晶の色再現性向上の長所を生かすためには、赤、緑、青（ＲＧＢ）の三原色の発光波長を有するＬＥＤがバックライト光源として適している。
【０００４】
しかしながら、ＬＥＤの発光効率は、ＬＥＤの構成材料（チップ、チップを封止している樹脂、蛍光体、パッケージ等）の劣化や、ＬＥＤ自体が発生する熱の影響によって変化する。このため、バックライト装置にＬＥＤを組み込んだ場合、バックライトの輝度や色度は、これら劣化や熱の影響により変化する。
【０００５】
これに関し、光源からの光を検出するセンサーを備え、前記センサーが検出した値によって、前記光源の光量を調整する面状光源装置がある（特許文献１）。
【特許文献１】特開２００４−２１１４７号公報
【発明の開示】
【発明が解決しようとする課題】
【０００６】
発光装置の輝度や色度を所望の値に保つために、カラーセンサーや温度センサーが用いられることがある。この場合、これらセンサーの検出値を換算して輝度や色度を求め、これら換算値と、発光装置の所望の輝度や色度の値（基準値）とを比較する。そして、両者の値が一致するように、制御手段により、光源の点灯条件が繰り返し制御される。
【０００７】
ここで、かかる発光装置では、光源（ＬＥＤ）の点灯時間が長くなるにつれて発光効率が低下するが、この発光効率の低下に関係なく、必要な輝度を得るために大きな電流が強制的に流される。すなわち、センサーの検出結果から得られた換算値と基準値との差が大きくなった場合でも、換算値が基準値になるように補正するための電流（補正電流）が大量に流される。この結果、累積点灯時間が長く劣化が進んだ光源（ＬＥＤ）においては、補正電流のうち発光に寄与しない電流が増え、この電流により光源の劣化（発光効率の低下）が加速する。
【０００８】
このように、カラーセンサーや温度センサーを用いて輝度等を調節する構成を有する発光装置では、上記現象を繰り返すことにより光源及び発光装置の寿命が急激に短くなるという課題がある。
【０００９】
本発明は、かかる課題の認識の下、寿命が長く高い信頼性を有する発光装置、及び、光源体の寿命を長くし、かつ、光源体の信頼性を高める制御方法を提供する。
【課題を解決するための手段】
【００１０】
本発明の一態様によれば、光源体と、前記光源体から出射される光の発光強度を制御する制御手段と、を備え、前記制御手段は、前記光源体の点灯時間の積算値に応じて前記発光強度を調節することを特徴とする発光装置が提供される。
【００１１】
また、本発明の他の一態様によれば、光源体を有する発光装置の制御方法であって、前記光源体の点灯時間の積算値に応じて、前記光源体から出射される光の発光強度を制御することを特徴とする発光装置の制御方法が提供される。
【００１２】
例えば、発光装置の輝度や色度の所望の値（基準値）を、光源の累積点灯時間に対応した輝度劣化率に応じて連続的もしくは段階的に下げることで、センサーの検出結果から得られた換算値と基準値との差を小さくし、点灯制御のための補正電流を小さくする。これにより、光源（ＬＥＤ）及び発光装置の寿命を長くすることが可能となる。
【発明の効果】
【００１３】
本発明によれば、寿命が長く高い信頼性を有する発光装置、及び、光源体の寿命を長くし、かつ、光源体の信頼性を高める制御方法が提供される。
【発明を実施するための最良の形態】
【００１４】
以下、図面を参照して本発明の形態を説明する。図面は本発明の一実施形態に係わり、図１は本実施形態に係る発光装置を例示するブロック図、図２（ａ）は本実施形態に係る発光装置（バックライト装置）の構成の一例（具体例１）を表す模式斜視図、図２（ｂ）は具体例１に係る発光装置の模式回路図、図３（ａ）はＬＥＤ点灯時間に対する輝度維持率を表す模式グラフ図、図３（ｂ）はＬＥＤ点灯時間に対する輝度維持率を表す模式グラフ図、図３（ｃ）はＬＥＤ点灯時間に対するＬＥＤでの消費電力を表す模式グラフ図、図４（ａ）は本実施形態における輝度の設定値の変化を例示するグラフ図、図４（ｂ）はこのように輝度を設定した場合の消費電力の変化を表すグラフ図である。なお、各図面中、同様の構成要素には同一の符号を付して詳細な説明は適宜省略する。
【００１５】
図１（ａ）に表したように、本実施形態に係る発光装置（バックライト装置等）は、光源体（発光ダイオード等）１と、光源体１から出射される光の輝度（発光強度）を制御する制御手段Ｑと、を備えている。
【００１６】
制御手段Ｑは、光源体１に流れる電流を制御する電流制御手段１００と、光源体１の点灯時間の積算値を求める点灯時間積算手段２００と、光源体１から出射され発光装置のユニットケース３の内部空間で合成された光を波長ごとに分解し（例えば、ＲＧＢに色分解し）、各波長の発光強度を検知する色分解検知手段３００と、を有する。そして、制御手段Ｑは、後に詳述するように、光源体１の点灯時間の累積値に応じて、光源体１から出射される光の明るさ及び色合いが所定値となるように駆動電流を制御する。
【００１７】
例えば、制御手段Ｑは、色分解検知手段３００が検知する波長ごとの発光強度の基準値（目標値）を設定し、色分解検知手段３００により検知された波長ごとの発光強度と、基準値と、を比較して、発光強度を調節する構成にすることができる。この場合、光源体１を長期間駆動させたときに、基準値を低下させることができる。これにより、長期間発光させて光源体１の発光効率が低下した状態において、光源体１に過剰な電流が流れることが抑制される。その結果として、寿命が長く高い信頼性を有する発光装置が提供される。
【００１８】
また、図１（ｂ）に表したように、制御手段Ｑは、光源体１の温度を検知する温度検知手段４００を有してもよい。この場合には、例えば、光源体１の温度も考慮して、光源体１の駆動電流を制御することができる。例えば、光源体１の温度が高いときには、発光効率が低下している可能性がある。このような場合に、基準値を下げることにより、光源体１に過剰な電流が流れることを防止できる。
【００１９】
以下、本実施形態について、光源体１として赤色（Ｒ）、緑色（Ｇ）、及び青色（Ｂ）においてそれぞれ単色発光する発光ダイオード（ＬＥＤ）１を用いた、バックライト装置を例に取り上げて説明する（具体例１）。
【００２０】
図２（ａ）に表したように、具体例１に係るバックライト装置１Ａは、赤色（Ｒ）、緑色（Ｇ）、及び青色（Ｂ）にそれぞれ単色発光するＬＥＤ１と、ＬＥＤ１を複数かつ直線的に配置したＬＥＤ実装基板２と、ＬＥＤ実装基板２を内部底面に並列配置したユニットケース３と、ユニットケース３の内部側面に配置されたカラーセンサー４（色分解検知手段）と、ユニットケース３の内部底面に配置された温度センサー９（温度検知手段）と、ユニットケース３の外部においてカラーセンサー４とＬＥＤ実装基板２とに接続された制御回路５（電流制御手段）と、レンズシート６ａとレンズシート６ａを挟んで対向配置した拡散シート６ｂとからなる光学シート６と、光学シート６の下面に設けられた拡散板７と、光学シート６及び拡散板７をユニットケース３に固定するフロントフレーム８と、を備える。
【００２１】
ユニットケース３の内部底面には、ＬＥＤ実装基板２が配置された領域を除いて、白色反射シート等の反射部材が設けられており、その反射部材は反射領域として機能する。ＲＧＢのＬＥＤ１の放射（出射）光は、ユニットケース３の内部空間で白色に合成され、光学シート６及び反射板７を介してバックライト装置１Ａの外部に出射される。なお、ＲＧＢの混合比、すなわち、ユニットケース３に配置されるＬＥＤ１の数量と配置場所、さらにはＬＥＤ１に対して供給される駆動電流等は、所望の白色色度が得られるように予め決定されている。
【００２２】
光学シート６及び拡散板７は、バックライト装置１Ａにおける発光面として機能する。拡散板７は光を拡散する光学拡散効果を有し、光学シート６は拡散された光の輝度をさらに効果的に増加させる。  
次に、各構成部材について説明する。
【００２３】
（ＬＥＤ１）
ＬＥＤ１は、バックライト装置１Ａの光源として機能する。ＲＧＢのＬＥＤ１におけるそれぞれの発光スペクトルピークは、Ｒの場合は波長６１０〜６５０［ｎｍ］、Ｇの場合は波長５１５〜５３５［ｎｍ］、Ｂの場合は波長４４０〜４７０［ｎｍ］に存在する。ＬＥＤ１は、ＲＧＢの発光素子をそれぞれパッケージングして単色のＬＥＤ１として構成されている。  
単色のＬＥＤ１に代えて、複数色の発光素子をパッケージングして多色のＬＥＤ１とする構成も可能であり、また、ＬＥＤ実装基板２の上面にＲＧＢの発光素子を直接配置してもよい。
【００２４】
（カラーセンサー４）
カラーセンサー４は、ＬＥＤ１の放射光を検出する機能を有する。  
カラーセンサー４は、シリコン等のフォトダイオードで構成されている。例えば、図４（ａ）に示すＲＧＢ波長感度特性を有するＲＧＢフォトダイオードである。これらを、一体化または近接させて構成する。ＲＧＢのそれぞれに対応するフォトダイオードは、フォトダイオードの受光部にカラーフィルターを形成して他色の入光を排除する。例えば、赤色光を入光するフォトダイオードの場合には、青色光及び緑色光を排除するカラーフィルターをフォトダイオードの受光部に形成する。なお、カラーセンサー４は、フォトダイオードに限定されるものでなく、光電子増倍管やＣＣＤ（電荷結合素子）などの受光素子をセンサーとして利用してもよい。  
カラーセンサー４は、発光装置の内部空間で合成された光を受光できる任意の場所に設けることができる。例えば、図２（ａ）に表したようにユニットケース３の内部側面に配置されてよく、あるいは、ユニットケース３の内部底面に配置されてもよい。
【００２５】
（温度センサー９）
温度センサー９は、ＬＥＤ１の温度を検出する機能を有する。  
温度センサー９は、ＩＣ、サーミスタ等の、温度を読み取ることのできる部品または装置で構成されてよい。  
温度センサー９は、図２（ａ）に表したように、ユニットケース３の内部底面に、ＬＥＤ１に近接して配置されてよく、あるいは、ＬＥＤ１のジャンクション温度（接合部の温度）に近い値が検出することができる範囲で、任意の場所に配置されてよい。
【００２６】
（制御回路５）
図２（ｂ）に表したように、制御手段Ｑには、制御回路５が設けられている。制御回路５は、カラーセンサー４が検出した検出値をアナログ値からデジタル値に変換するＡ／Ｄ処理部５１と、検出値と所望の輝度及び所望の色度を有する光の光量値（基準値）とを比較する比較演算部５２と、比較結果に基づきＬＥＤ１の駆動電流を制御するＬＥＤ駆動部５３と、を有する。  
また、制御手段Ｑは、タイマー１０を有する。タイマー１０により、光源体１の点灯時間を計測し、積算することができる。この場合、タイマー１０が点灯時間の計測と積算とを実行してもよく、あるいはタイマー１０が点灯時間を計測し、比較演算部５２が点灯時間を積算してもよい。いずれの場合においても、積算時間に関するデータを格納する不揮発性メモリなどのデータ格納部を適宜設けることができる。
【００２７】
またさらに、比較演算部５２には、温度センサー９の測定データが入力される。比較演算回路５２は、温度センサー９による測定データに基づいて、ＬＥＤ駆動部から出力される電流を決定することも可能である。  
各部における制御機能については後述する。なお、制御回路５を構成する各部は、マイコンやＩＣなどに複合化することも可能である。
【００２８】
次に、ＬＥＤ１に過電流が流れることを抑制し、これによりＬＥＤ１の長寿命化及び高信頼性付与を図ることについて、図３を参照しつつ説明する。
図３（ａ）は、ＬＥＤ１を一定の電流で発光させた時の輝度維持率の一例（比較例Ｂ）を表している。図３（ａ）から、電流値が一定である場合、時間とともに輝度は低下することがわかる。これは、ＬＥＤの発光効率が、ＬＥＤの構成材料（チップ、チップを封止している樹脂、蛍光体、パッケージ等）の劣化などによるものである。また、ＬＥＤ自体が発生する熱の影響によって、このような劣化が加速されることもある。
【００２９】
このような劣化による輝度の低下を回避するため、例えば、ＬＥＤ１の出射光の輝度が一定値に維持されるように、ＬＥＤ１に流れる電流を制御することが考えられる（比較例Ｃ）。これは、例えば図２に表したカラーセンサー４を用いて、フィードバック制御をすればよい。
【００３０】
図３（ｂ）は、このようにＬＥＤ１に流れる電流を制御した場合（比較例Ｃ）の、ＬＥＤ１の輝度維持率の一例を表している。図３（ｂ）から、電流を適宜制御することによって、ＬＥＤ１の出射光の輝度を一定に保つことが可能になることがわかる。しかしながら、この場合、劣化したＬＥＤの輝度を維持するために大きな電流を流すので、ＬＥＤの劣化が加速するおそれがある。
【００３１】
図３（ｃ）は、図３（ｂ）の例（比較例Ｃ：ＬＥＤ１の輝度が一定となるように電流を制御した場合）における、ＬＥＤ１の消費電力の推移を表している。図３（ｃ）に表したように、時間とともにＬＥＤ１に流れる電流が増加し、ＬＥＤ１での消費電力も増加する。  
このように、バックライト装置１Ａにおいて、センサーによって光源からの光を検出し、光源の光量が時間に対して一定になるように電流を制御した場合、ＬＥＤが劣化しても、輝度や色度が初期値のままであるように制御される。このため、劣化が進行して発光効率が低下したＬＥＤには、初期値の輝度が維持されるように過大な電流が流れる。これにより、ＬＥＤの劣化がさらに加速されることがあり得る。ＬＥＤの劣化が加速されると、発光効率はさらに低下し、ＬＥＤの電流値がさらに高くなり劣化が加速するという悪循環が生じ得る。
【００３２】
このため、本実施形態（具体例１）においては、ＬＥＤ１の点灯時間を積算し、この積算値に応じてＬＥＤ１の出射光の輝度を制御している。具体的には、図３（ｂ）に関して前述したように、目標とする輝度を初期値のまま一定に維持するのではなく、点灯時間の経過とともに、目標とする輝度を適宜低下させる。
【００３３】
図４（ａ）は、本実施形態における輝度の設定値の変化を例示するグラフ図である。また、図４（ｂ）は、このように輝度を設定した場合の消費電力の変化を表すグラフ図である。これらのグラフにおいて、本実施形態Ａと、図３に表した比較例Ｂ及び比較例Ｃと、をそれぞれ表した。
【００３４】
図４（ａ）及び（ｂ）に表した具体例においては、点灯時間の積算値が大きくなると、出射光の輝度の目標値を相対的に低くする補正を行う。こうすると、長期間点灯した場合においても、大電流が流れることを抑制することができる。つまり、ＬＥＤ１の加速的な劣化を防止できる。  
そして、本実施形態Ａにおいては、図３（ａ）に表した比較例Ｂと比べて、輝度の低下が抑制されるように目標輝度を決定することができる。このようにすれば、輝度の大幅な低下を防ぎつつ、ＬＥＤ１の寿命も長く維持することが可能となる。
【００３５】
ＬＥＤ１の点灯時間の積算値は、例えば、カラーセンサー４が動作する時間により算出することができ、より詳細には、例えば、カラーセンサー４の動作時間をＬＥＤ１の点灯時間とみなして算出することができる。この場合、図２（ｂ）に表したように、制御手段Ｑにおいてタイマー１０を設けてもよい。  
また、ＬＥＤ１の点灯時間の積算値は、ＥＥＰＲＯＭ（Electronically Erasable and Programmable Read Only Memory：電気的に書込み・消去可能なＲＯＭ）等の記憶装置（記憶性能を有する集積回路（ＩＣ）等）に記憶される構成にしてもよい。ＬＥＤ１の点灯に対応して、記憶装置に格納された積算点灯時間を呼び出してこれに新たに積算を続け、ＬＥＤ１の点灯が終了したら、その時点での積算点灯時間を記憶装置に格納することができる。次回に、ＬＥＤ１を点灯させる時には、記憶装置に記憶させた積算値に基づき、ＬＥＤ１出射光の輝度の目標値を決定して輝度を制御できる。
【００３６】
ここで、ＬＥＤ１の輝度の制御は、カラーセンサー４が検知するＬＥＤ１出射光の輝度の目標値を適宜設定してフィードバック制御することにより行うことができる。この目標値は、例えば、所望の明るさと色合いが得られるときの波長ごとの発光強度とすることができる。例えば、ＬＥＤ１の点灯時間の積算値の関数により規定することができる。具体的には、例えば次の式（１）で表される関数が挙げられる。
ｙ＝Ａｘ２−Ｂｘ＋初期目標値  ・・・式（１）
（ここで、ｘはＬＥＤ１の点灯時間の積算値であり、ｙはカラーセンサー４が検知するＬＥＤ１出射光の輝度の目標値である。Ａ及びＢは、実数であり、求められるＬＥＤ１の耐用寿命や劣化特性等に応じて任意の値に設定することができる。）
式（１）の二次関数によれば、係数Ａ、Ｂを適宜設定することにより、初期（ｘ＝０）においてｙは初期目標値であるが、その後時間の経過とともにｙの値は低下する。すなわち、時間経過とともに、ＬＥＤ１出射光の輝度の目標値は低下する。これにより、ＬＥＤ１において、電流量は時間とともに漸減し、この結果負荷は低減し、もってＬＥＤ１の長寿命化及び信頼性向上が図られる。
【００３７】
なお、Ａ及びＢの値は、例えば、想定されるＬＥＤ耐用期間が「０〜Ｂ／２Ａ」の範囲内の数値となるように設定することができる。すなわち、式（１）では、ｘ＝Ｂ／２Ａにおいてｙは極小となり、その後はｘが増加するにつれてｙの値は増加する（「Ｂ／２Ａ」の時期を過ぎると、ＬＥＤ１の輝度目標値は上昇に転じ、負荷は漸増しその後急増する）ところ、時間経過とともにＬＥＤ１の負荷を低減させる構成にするためには、耐用期間は「０〜Ｂ／２Ａ」の範囲であることが望ましい。
【００３８】
輝度目標値と積算点灯時間との関数は、上記の具体例に限られず、発光装置の使用態様等に応じて柔軟に規定することができる。例えば、点灯時間の経過とともに初期目標値から連続的に低下する直線あるいは曲線により、または一定時間毎に段階的に低下する階段状折れ線により輝度目標値を設定することができる。  
この場合、これら目標値（基準値）の設定を、予め記憶媒体に登録することができる。すなわち、検出値と比較する目標値の設定を、（イ）点灯累積時間に対して直線的に低下させるように記憶媒体に登録したり、（ロ）点灯累積時間に対して曲線的に低下させるように記憶媒体に登録したり、（ハ）点灯累積時間に対して一定時間毎に段階的に低下させるように記憶媒体に登録したりすることができる。
【００３９】
このように、ＬＥＤ１の点灯時間の積算値に応じてＬＥＤ１の出射光の輝度を制御することにより、前述した悪循環が抑制される。すなわち、ＬＥＤ１の劣化によって輝度が低下した場合を含め、ＬＥＤ１に大電流が流れることを抑制できる。このため、本実施形態によれば、輝度の経時的な低下を補正しつつ、寿命が長く高い信頼性を有する発光装置が提供される。
【００４０】
以上説明したように、本実施形態によれば、輝度の経時的な変化を抑制しつつ、大電流による劣化の加速を防ぐことが可能であり、かつ、寿命が長く高い信頼性を有する発光装置が提供される。  
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素及びその配置、材料、条件、形状、サイズなどは、例示したものに限定されるわけではなく適宜変更することができる。
【００４１】
例えば、本実施形態で用いる光源体は、前述した発光ダイオードに限られず、ＥＬ（Electro-Luminescence）等様々な光源体であってよい。また、本実施形態で用いる色は、前述した赤色、緑色、及び青色に限られず、他の色であってよい。また、色の種類の数についても、前述した３色に限られず、本実施形態の各形態に適応し得る範囲で単数または複数の他の数であってよい。さらに、本実施形態に係る発光装置は、前述したバックライト装置に限られず、他の各種照明装置等であってよい。
【００４２】
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００４３】
【図１】本実施形態に係る発光装置を例示するブロック図
【図２】（ａ）は本実施形態に係る発光装置（バックライト装置）の構成の一例（具体例１）を表す模式斜視図、（ｂ）は具体例１に係る発光装置の模式回路図
【図３】（ａ）はＬＥＤ点灯時間に対する輝度維持率を表す模式グラフ図、（ｂ）はＬＥＤ点灯時間に対する輝度維持率を表す模式グラフ図、（ｃ）はＬＥＤ点灯時間に対するＬＥＤでの消費電力を表す模式グラフ図
【図４】（ａ）は輝度の設定値の変化を例示するグラフ図、（ｂ）は消費電力の変化を表すグラフ図
【符号の説明】
【００４４】
１  光源体、ＬＥＤ、１Ａ  発光装置、バックライト装置、２  ＬＥＤ実装基板、３  ユニットケース、４  カラーセンサー、５  制御回路、６  光学シート、６ａ  レンズシート、６ｂ  拡散シート、７  拡散板、８  フロントフレーム、９  温度センサー、１０  タイマー、１１  ＲのＬＥＤ、１２  ＧのＬＥＤ、１３  ＢのＬＥＤ、４１  Ｒのセンサー、４２  Ｇのセンサー、４３  Ｂのセンサー、５１  Ａ／Ｄ処理部、５２  比較演算部、５３  ＬＥＤ駆動部、Ｑ  制御手段
【図１】
2010061869.tif 000003
【図２】
2010061869.tif 000004
【図３】
2010061869.tif 000005
【図４】
2010061869.tif 000006